(57)【要約】      （修正有）【課題】支持構造の剛性に優れ、自立状態と収納状態との形態変更を容易かつ瞬間的に行うことができる表示ケースを提供する。【解決手段】窓を備えた正面板２と、正面板２の一側辺に連続し、中央部に係止孔８を有すると共に、背部側に折り重ねられて正面板２と相対する背面板３と、正面板２の上辺に連続し、背部側下方に折り曲げられる上部支持板４と、正面板２の下辺に連続し、上部支持板４の内側から背部側上方に折り曲げられ、横方向に長い支持板スロット１０を備えた下部支持板５と、上部支持板４から切起され、上部支持板４に連続する下辺及び遊端部を有する係止片６とを有し、係止片６が支持板スロット１０を通過し、係止片遊端部が背面板３の係止孔８と係合し、係止片６が支持板スロット１０の縁部と接する構成とする。【選択図】図１
0003128840.tif 000002
【実用新案登録請求の範囲】
【請求項１】
表示体を後傾状態で支持する表示ケースであって、
表示体を表出させる窓を備えた正面板と、
前記正面板の一側辺に連続し、中央部に係止孔を有すると共に、背部側に折り重ねられて前記正面板と相対する背面板と、
前記正面板の上辺に連続し、背部側下方に折り曲げられる上部支持板と、
前記正面板の下辺に連続し、前記上部支持板の内側から背部側上方に折り曲げられ、横方向に長い支持板スロットを備えた下部支持板と、
前記上部支持板から切起され、前記上部支持板に連続する下辺及び遊端部を有する係止片とを有し、
前記係止片が前記支持板スロットを通過し、前記係止片遊端部が前記背面板の前記係止孔と係合し、前記係止片がスロットの縁部と接することにより、当該表示ケースが、前記正面板及び前記上部支持板の下縁により自立し得るようにしたことを特徴とする表示ケース。
【請求項２】
前記正面板が、その厚み方向に所定の幅を有するように延在する保形板を介して前記背面板と、前記下部支持板と、前記上部支持板とそれぞれ連続することを特徴とする請求項１に記載の表示ケース。
【請求項３】
前記支持板スロットの遊端側の縁部に突起が突設され、
前記係止片が、前記突起が係合するべき係止片スロットを備え、
前記係止片スロットと前記突起との係合により、前記下部支持板の前記係止片に対する位置が規制されることを特徴とする請求項１に記載の表示ケース。
【請求項４】
前記下部支持板の遊端辺に突起が突設され、
前記突起と前記係止片を切起した開口とが係合することを特徴とする請求項１に記載の表示ケース。
【請求項５】
表示体を後傾状態で支持する表示ケースであって、
表示体を表出させる窓を備えた正面板と、
前記正面板の一側辺に連続し、中央部に係止孔を有すると共に、背部側に折り重ねられて前記正面板と相対する背面板と、
前記正面板の他方側辺に連続する横板と、
前記背面板の上辺に連続し、前記正面板と前記背面板が相対した状態で背部側下方に折り曲げられる上部支持板と、
前記正面板の下辺に連続し、前記上部支持板の内側から背部側上方に折り曲げられ、横方向に長い支持板スロットを備えた下部支持板と、
前記上部支持板から切起され、前記上部支持板に連続する下辺及び遊端部を有する係止片とを有し、
前記係止片が前記支持板スロットを通過し、前記係止片遊端部が前記背面板の前記係止孔と係合し、前記係止片がスロットの縁部と接することにより、当該表示ケースが、前記正面板及び前記上部支持板の下縁により自立し得るようにしたことを特徴とする表示ケース。
【請求項６】
前記正面板が、その厚み方向に所定の幅を有するように延在する保形板を介して前記背面板と、前記下部支持板と、前記横板とそれぞれ連続することを特徴とする請求項５に記載の表示ケース。
【請求項７】
前記支持板スロットの遊端側の縁部に突起が突設され、
前記係止片が、前記突起が係合するべき係止片スロットを備え、
前記係止片スロットと前記突起との係合により、前記下部支持板の前記係止片に対する位置が規制されることを特徴とする請求項５に記載の表示ケース。
【請求項８】
前記下部支持板の遊端辺に突起が突設され、
前記突起と前記係止片を切起した開口とが係合することを特徴とする請求項５に記載の表示ケース。
【考案の詳細な説明】
【技術分野】
【０００１】
本考案は、カレンダや写真等のカードを収容し、後傾状態で表示する表示ケースに関するものである。
【背景技術】
【０００２】
カレンダ等の表示物を含み後傾状態で表示するケースは、宣伝広告等を目的とした販促品や粗品として、店頭等の客先に大量に配布する目的に使用される。
【０００３】
そのため、上記の表示ケースは、製造コストが安価であること、大量生産工程に適応すること、廃棄の際の手間及び環境負荷を最小とすること等の要件を満たさなければならず、また一定期間の使用に耐えうる構造耐久性を有することも必須となる。これらの条件を満たすべく、１枚の紙片により表示ケースを構成したものが特許文献１に開示されている。
【０００４】
１枚の紙片から係合構造を利用して接着材を使用せずに表示ケースの支持構造を構築することで、製造工程数を簡略化でき製造コストも低く抑えることができる。
【特許文献１】特許第３７１４０９６号
【考案の開示】
【考案が解決しようとする課題】
【０００５】
しかしながら、これらの表示ケースは配布時には輸送の関点から体積を小さくする必要があり、従来の表示ケースは支持構造が折りたたまれた状態である収納状態、或いは展開された状態で配布される。そのため、店頭等で自立状態として使用する際には支持構造の組み立てが必要となる。販促を目的として大量に配布される表示ケースの特性を鑑みると、この手間は多大なものとなる。
【０００６】
また、製造コスト及び廃棄時の分別の手間や環境負荷の関点から、１枚の紙片を用いて接着剤等の付加物を加えることなく構成することが有利となるが、紙片の特性上、強度が樹脂材に比べて劣る。そのため表示ケースの支持構造には紙の特性を最大限活かして強度を引き出す工夫が必要である。また、資源及びコストの問題から前記支持構造を１枚の連続した紙片から構成し、紙片の使用量を最小とする設計が必要となる。
【０００７】
本考案は、このような背景を鑑みなされたものであり、表示ケースの自立状態と収納状態との形態変更が容易かつ瞬間的に行うことが可能であり、かつ支持構造の強度が高い表示ケースを提供することを目的とする。
【課題を解決するための手段】
【０００８】
上記課題を解決するために、請求項１の考案は、表示体を後傾状態で支持する表示ケースであって、表示体を表出させる窓を備えた正面板と、前記正面板の一側辺に連続し、中央部に係止孔を有すると共に、背部側に折り重ねられて前記正面板と相対する背面板と、前記正面板の上辺に連続し、背部側下方に折り曲げられる上部支持板と、前記正面板の下辺に連続し、前記上部支持板の内側から背部側上方に折り曲げられ、横方向に長い支持板スロットを備えた下部支持板と、前記上部支持板から切起され、前記上部支持板に連続する下辺及び遊端部を有する係止片とを有し、前記係止片が前記支持板スロットを通過し、前記係止片遊端部が前記背面板の前記係止孔と係合し、前記係止片がスロットの縁部と接することにより、当該表示ケースが、前記正面板及び前記上部支持板の下縁により自立し得るようにしたことを特徴とする。
【０００９】
また、請求項２の考案は請求項１の表示ケースであって、前記正面板が、その厚み方向に所定の幅を有するように延在する保形板を介して前記背面板と、前記下部支持板と、前記上部支持板とそれぞれ連続することを特徴とする。
【００１０】
また、請求項３の考案は請求項１の表示ケースであって、前記支持板スロットの遊端側の縁部に突起が突設され、前記係止片が、前記突起が係合するべき係止片スロットを備え、前記係止片スロットと前記突起との係合により、前記下部支持板の前記係止片に対する位置が規制されることを特徴とする。
【００１１】
また、請求項４の考案は請求項１の表示ケースであって、前記下部支持板の遊端辺に突起が突設され、前記突起と前記係止片を切起した開口とが係合することを特徴とする。
【００１２】
また、請求項５の考案は、表示体を後傾状態で支持する表示ケースであって、表示体を表出させる窓を備えた正面板と、前記正面板の一側辺に連続し、中央部に係止孔を有すると共に、背部側に折り重ねられて前記正面板と相対する背面板と、前記正面板の他方の側辺に連続する横板と、前記背面板の上辺に連続し、前記正面板と前記背面板が相対した状態で背部側下方に折り曲げられる上部支持板と、前記正面板の下辺に連続し、前記上部支持板の内側から背部側上方に折り曲げられ、横方向に長い支持板スロットを備えた下部支持板と、前記上部支持板から切起され、前記上部支持板に連続する下辺及び遊端部を有する係止片とを有し、前記係止片が前記支持板スロットを通過し、前記係止片遊端部が前記背面板の前記係止孔と係合し、前記係止片がスロットの縁部と接することにより、当該表示ケースが、前記正面板及び前記上部支持板の下縁により自立し得るようにしたことを特徴とする。
【００１３】
また、請求項６の考案は請求項５の表示ケースであって、前記正面板が、その厚み方向に所定の幅を有するように延在する保形板を介して前記背面板と、前記下部支持板と、前記横板とそれぞれ連続することを特徴とする。
【００１４】
また、請求項７の考案は請求項５の表示ケースであって、前記支持板スロットの遊端側の縁部に突起が突設され、前記係止片が、前記突起が係合するべき係止片スロットを備え、前記係止片スロットと前記突起との係合により、前記下部支持板の前記係止片に対する位置が規制されることを特徴とする。
【００１５】
また、請求項８の考案は請求項５の表示ケースであって、前記下部支持板の遊端辺に突起が突設され、前記突起と前記係止片を切起した開口とが係合することを特徴とする。
【考案の効果】
【００１６】
請求項１の考案によれば、相対する正面板と背面板との間に一側辺のみが開口した袋体と、前記袋体を含む自立構造を形成することができる。袋体の正面板は窓を備えるため、袋体にカレンダ又はカード等の表示体を袋体の側方に位置する開口から挿入し、保持させることで表示体を前面に表出させることができる。
【００１７】
また前記自立構造は、背面板と、上部支持板と、下部支持板と、係止板との４つの面の組み合わせからなる。基本構造は、上部支持板に連続する係止片と背面板との係合により構成され、更に下部支持板が係止板を下方に押さえることにより背面板と係止片との係合構造を強固にする。係合は背面板に形成された係止孔と、係止片先端に形成された係止端の折曲げによるフック構造との引っ掛かりによる単純なものである。しかし自立状態では、係止片が前記下部支持板に形成されたスロットを貫通して交差構造をとることで、スロットの縁部を介して下向きの力を受けて下方に押さえつけられる。そのため、係止端により形成されるフック構造と係止孔との引っ掛かりがより強くなり、係合が解除され難くなる。
【００１８】
また、前記係合構造は、単純な引っ掛かりであるため、自立状態の時に加わる力と逆向きの力を加えることで容易に解除することができる。従って、上部支持板を前記背面板に近づけることで、下部支持板も背面板に近づき、下部支持板のスロットの縁部と前記係止片の接触が解かれ、係止端が上方に移動し、係合構造が解除される。
【００１９】
係合が解除された状態では、上部支持板及び下部支持板及び係止端の遊端は移動が可能な状態である。そのため上部支持板を背面板と平行になるよう近づけることで、下部支持板は上部支持板から圧力受け、係止片は背面板から圧力を受け、そして支持板及び係止片それぞれの遊端が上方に移動する。そして最終的には正面板と、背面板と、上部支持板と、下部支持板と、係止片とがおおよそ平行になる。この状態を収納状態とする。
【００２０】
前記収納状態から逆に上部支持板を背面板から離れる方向である背部方向に移動させると、支持板及び係止板に加わる圧力が解除され、支持板及び前記係止板それぞれの遊端が下方に移動する。そして前記係止端により形成されるフック構造が前記係止孔と係合し、自立状態となる。
【００２１】
上述したように収納状態と自立状態の変化は、上部支持板の位置を背面板に近づける又は遠ざけるといった簡単な操作のみによって行われる。
【００２２】
請求項２の考案によれば、請求項１の考案の表示ケースにおいて、正面板と背面板との間に一定の幅を持った空間を形成することができ、収容する表示体の多少による厚みの変化に対応することができる。
【００２３】
請求項３の考案によれば、請求項１の考案の表示ケースにおいて、係止片スロットと突起の係合により、下部支持板の係止片に対する位置が固定され、また支持構造中の中央部に固定された交差部が形成される。下部支持板は筋交いと似た効果を発揮し支持構造の剛性が向上する。
【００２４】
請求項４の考案によれば、請求項１の考案の表示ケースにおいて、下部支持板の上部支持板に対しての横方向の位置が固定されるため、下部支持板と上部支持板間の横方向のずれが発生しなくなる。つまり、支持構造のねじれに対する剛性が向上する。
【００２５】
請求項５の考案によれば、相対する正面板と背面板との間に上辺のみが開口した袋体と、前記袋体を含む自立構造を形成することができる。前記自立構造は請求項１の考案と同様である。自立構造における相違点は請求項１の考案では上部支持板は正面板の上辺に連続するのに対し、請求項５の考案では上部支持板は背面板の上辺に連続する点のみである。そのため、自立構造においては上述した請求項１の考案の効果と同様の効果が得られる。
【００２６】
請求項６の考案によれば、請求項５の考案の表示ケースにおいて、正面板と背面板との間に一定の幅を持った空間を形成することができ、収容する表示体の多少による厚みの変化に対応することができる。
【００２７】
請求項７の考案によれば、請求項１の考案の表示ケースにおいて、下部支持板の係止片に対する位置が固定されることにより、支持構造中の中央部に固定された交差部が形成され支持構造の剛性が向上する。
【００２８】
請求項８の考案によれば、請求項５の考案の表示ケースにおいて、下部支持板の上部支持板に対しての横方向の位置が固定されるため、下部支持板と上部支持板間の横方向のずれがなくなる。つまり、支持構造のねじれに対する剛性が向上する。
【考案を実施するための最良の形態】
【００２９】
以下、本考案の実施の形態を、図面を参照しながら説明する。
【００３０】
＜＜第１実施形態の構成＞＞
図１は第１実施形態に係る表示ケースの自立状態を示す背部側から見た斜視図であり、図２は第１実施形態に係る表示ケースの自立状態を示す前部側から見た斜視図であり、図３は第１実施形態に係る表示ケースの自立状態を示す縦断面図であり、図４は第１実施形態に係る表示ケースの収納状態を示す縦断面図であり、図５は第１実施形態に係る表示ケースを展開して示す平面図である。
【００３１】
図１、２、３，５に示すように、本実施形態の表示ケースは、１枚の紙片から成り、１枚の紙面中に４個の略長方形である正面板２と、正面板２の右側側辺で保形板１４を介して連続する背面板３と、正面板２の上辺で保形板１４を介して連続する上部支持板４と、正面板２の下辺で保形板１４を介して連続する下部支持板５とを備える。正面板２は窓７を面内の大部分にわたり備える。背面板３は係止孔８を面内中央部より少し上方の位置に備える。上部支持板４は、面内中央部に切起される係止片６を備える。係止片６は係止片基端辺１５で上部支持板４と連続し、係止片６の遊端辺上に位置する係止端９と、中央部に位置する係止片スロット１２とを備える。下部支持板５は、面内中央部よりやや遊端側に位置する下部支持板スロット１０と、下部支持板遊端５ａに位置する下部支持板遊端突起１３とを備え、下部支持板スロット１０はスロット内の遊端側の縁部１０ａ上に下部支持板スロット突起１１を備える。また下部支持板５は、正面板２の縦辺よりも短い縦辺を有する。
【００３２】
背面板３は、正面板２と背面板３との間の保形板１４の両接辺でそれぞれ約９０°ずつ折り曲げられることにより、正面板２の背部側に保形板１４の幅分の距離を介して相対する。下部支持板５は、正面板２と下部支持板５との間の保形板１４の両接辺で背部側へ折り曲げられて、下部支持板５が背面板３より背部側に位置し、下部支持板遊端５ａが背部側斜め上方を向くようにする。上部支持板４は、正面板２と上部支持板４との間の保形板１４の両接辺で背部側へ折り曲げられて、上部支持板４が下部支持板５より背部側に位置し、上部支持板４の遊端が背部側斜め下方を向く。正面板２に対して、背面板３及び下部支持板５、上部支持板４が上記のように位置することで、正面板２及び背面板３、各保形板１４による一側端が開口した袋体が形成される。
【００３３】
係止片６は、係止片基端辺１５で折り曲げられ、係止片基端辺１５から背面板３の方向へと延び、下部支持板５の下部支持板スロット１０を斜め下方から斜め上方へと貫通する。そして、係止端９は係止片６と接する辺である係止端折り曲げ線１６で係止片と鋭角をなすように下方へ折り曲げられてフック構造を形成し、背面板３の係止孔８に係合する。
【００３４】
また、下部支持板５は、下部支持板遊端５ａが上部支持板４に接しつつ、下部支持板スロット１０内の下部支持板スロット突起１１が、係止片６の係止片スロット１２に係合する。そして、下部支持板の位置が固定される。この場合の下部支持板遊端５ａと上部支持板４との接触及び下部支持板スロット突起１１と係止片スロット１２との係合は同時に達成が可能なように係止片スロットの係止片６面内での位置は調整されている。また下部支持板遊端突起１３は、上部支持板４面内で係止片６が切起されることにより形成された係止片開口１７に係合する。
【００３５】
＜＜第１実施形態の作用効果＞＞
第１実施形態により、正面板２の下端辺及び上部支持板４の遊端辺を地面に接触させて自立する表示ケースの支持構造が形成される。支持構造の主要部は上部支持板４から連続する係止片６と背面板３との係合により構成される。更に下部支持板５が上部支持板４に接触しつつ、下部支持板スロット上部縁部１０ａを介して係止片６に接触し下向きの力を加えるため、係止端９と係止孔８との係合がより確実となり解除されにくくなる。また下部支持板スロット上部縁部１０ａと係止片６が接触する辺に、下部支持板スロット突起１１と係止片スロット１２を設けて係合構造を形成することで、下部支持板５の空間中での位置が固定される。つまり、下部支持板５は下部支持板遊端５ａと上部支持板４との接触と、下部支持板スロット突起１１と係止片スロット１２との係合が同時に発生する位置に固定される。これにより係止端９と係止孔８との係合が固定され、正面板２と背面板３からなる前面板と、上部支持板４と、下部支持板５と、係止片６との位置関係が固定される。
【００３６】
上記の構成の利点を２点まとめると、一つは係止端９と係止孔８との係合状態が解除され難くなることにより、自立状態に維持する安定性が増す点である。もう一つは支持構造内に係合による固定された交差点を含む筋交い構造を有することに起因する構造の剛性の向上する点である。
【００３７】
更に、本実施形態の表示ケースは、自立状態から収納状態及び収納状態から自立状態への変更が簡単な操作により行うことが可能である。図３に示す自立状態での構造から上部支持板４を背面板３に重ねる方向に近づけると、上部支持板４と背面板３との間の距離が短くなり、下部支持板遊端５ａと上部支持板４との接触点が上方に移動する。これにより下部支持板５による係止片６への下向きの押さえが解除され、上部支持板の動きに連動して係止片の遊端辺が背面と接触する位置も上方へとずれる。そして、係止端９と係止孔８との係合が解除される。図４は収納された状態での各板の位置関係を示すために少し背面板３と上部支持板４との距離が離れた構造を示しているが、最終的には背面板と、上部支持板と、下部支持板と、係止片とはおおよそ平行な状態となる。これを収納状態とする。収納状態ではコンパクトな形態をとるため、該表示ケースの保管及び配布時に適している。
【００３８】
逆に、収納状態から自立状態への変更も簡単な操作により行うことが可能である。図４の収納状態から、上部支持板４を背面板３から背部側へと離れる方向に移動させると、上部支持板４と背面板３との間の距離が長くなり、下部支持板遊端５ａと上部支持板４との接触点が下方に移動する。同時に下部支持板５による係止片６への下向きの力が加わり、係止片の遊端辺が背面と接触する位置も下方へとずれる。そして上部支持板４と背面板３の距離が一定となったところで係止端９が係止孔８に自動的に係合する。係止端９の先端は収納状態でも係止孔８内に位置するため、係止片６が上部支持板４に付随して後方に移動することにより係止端９が下方に移動し、自動的に係止孔８に係合する。
【００３９】
従って、本考案の実施形態の表示ケースは、予めカレンダ等の表示体を表示ケース１の袋体に収容して収納状態で配布することで、店頭等の使用場所では、上部支持板４を背部方向へ引くだけで自立構造を取ることができる。
【００４０】
また、収納状態から自立状態への形態変更を確実に行うためには、係止端９の長さを長くするとよい。収納状態で係止端９が係止孔８を貫通した状態を維持し、係止端９の先端が係止孔の下側縁部８ａよりも下方に位置することができるほどに係止端９を長くする。収納状態から自立状態への形態変更時には、係止端９はその位置から更に下方に移動するのみであるから、係合が確実に達成される。
【００４１】
＜＜第２実施形態の構成＞＞
図６は、第２実施形態に係る表示ケースを展開して示す平面図である。
【００４２】
図６に示すように、第２実施形態は第１実施形態を展開して示す図５と一部において異なる。構成における大きな変更点は、第１実施形態では上部支持板４が保形板を介して正面板２の上辺に連続するのに対し、第２実施形態では上部支持板４が背面板３の上辺に連続する点である。また第２実施形態は、正面板２の背面板３と保形板を介して連続する側辺の他方の側辺に保形板を介して連続する横板１７と、背面板に形成され、横板１７を受容するスリット１８と備え、横板１７は保形板を介して背部側へ折り曲げられスリット１８に受容され固定される。
【００４３】
＜＜第２実施形態の作用効果＞＞
第２実施形態の構成とすることで、正面板２及び背面板３、横板１７、保形板１４により形成される袋体の開口は正面板の上辺に形成される。その他の支持構造等は第１実施形態と同様であり、作用効果も同じである。
【００４４】
上記の実施形態は、本考案の表示ケースの一例であり、本考案はこの形態に限定されるものではない。例えば、本実施形態では、表示ケースの材質にコスト及び環境への配慮の点から紙を使用しているが、樹脂材料等を使用してもよい。また製造効率の点から１枚の紙片を用いて構成しているが、２枚以上の部品を組み合わせて本考案に係る構造を構築してもよい。また本実施形態では、正面板の形状を一般的な形として長方形としているが、三角形や円形等の他の形状等にしてもよい。また本考案の係止片及び係止孔等の支持構造の要部である係合構造を複数個設けてもよい。その他、本考案の趣旨を逸脱しない範囲で適宜変更可能である。
【図面の簡単な説明】
【００４５】
【図１】第１実施形態に係る表示ケースの自立状態を示す背部側から見た斜視図である。
【図２】第１実施形態に係る表示ケースの自立状態を示す正面側から見た斜視図である。
【図３】第１実施形態に係る表示ケースの自立状態を示す縦断面図である。
【図４】第１実施形態に係る表示ケースの収納状態を示す縦断面図である。
【図５】第１実施形態に係る表示ケースを展開して示す平面図である。
【図６】第２実施形態に係る表示ケースを展開して示す平面図である。
【符号の説明】
【００４６】
１  表示ケース
２  正面板
３  背面板
４  上部支持板
５  下部支持板
６  係止片
８  係止孔
９  係止端
１４  保形板
１７  横板
【図１】
0003128840.tif 000003
【図２】
0003128840.tif 000004
【図３】
0003128840.tif 000005
【図４】
0003128840.tif 000006
【図５】
0003128840.tif 000007
【図６】
0003128840.tif 000008